(57)【特許請求の範囲】
【請求項１】
遊技盤の前側に回転自在に軸支される回転体の前面に、その支軸を囲うようにして前面が開口するロート状の窪部を設け、該窪部の内周面を鏡面に形成し、また前記支軸の周囲に設けられ、かつその外周面に所望の模様を施した装飾部を設け、前記鏡面に反射される前記模様を前側から視認できるようにしたことを特徴とするパチンコ遊技機の風車。
【請求項２】
請求項１において、回転体を遊技盤面に取り付けられる透光性の取付板の前側に配設し、また該取付板の裏側に発光体を配設し、窪部には前記発光体の光が前側から視認できる透孔を貫設したパチンコ遊技機の風車。
【発明の詳細な説明】
【０００１】
【発明の属する技術分野】
本発明は、遊技盤面に装着されるパチンコ遊技機の風車に関するものである。
【０００２】
【従来の技術】
従来より、パチンコ遊技機の遊技盤面には、遊技領域内に打ち込まれたパチンコ球の球すじに変化を与えるため該パチンコ球を左右に振り分ける風車が装着されている。該風車は、パチンコ球が衝突することにより左回り又は右回りに自在に回転する回転体を主たる構成としている。
【０００３】
【発明が解決しようとする課題】
前記回転体は、円板の裏側に複数の羽根が突設され前記円板の前面に所望の模様を描き出して形成されたものか、または外周面に複数の突条が突設されると共に後端面が開口した短筒状に形成されたものが一般的であり、これら形状の回転体は、デザイン的にマンネリ化して風車としての商品価値が低く、しかも遊技の興趣を高めるに足る装飾効果が乏しいといった課題が有った。このため、斬新なデザインであって商品価値の高い風車の出現が望まれている。
そこで、本発明は上記課題を解決すべくなされたものであり、外観上斬新なデザインとすることにより商品価値を高めると共に、併せて装飾効果も充分に高められ遊技の興趣をそそることができるパチンコ遊技機の風車を提供することを目的とするものである。
【０００４】
【課題を解決するための手段】
かかる目的を達成するため、本発明におけるパチンコ遊技機の風車は、遊技盤の前側に回転自在に軸支される回転体の前面に、その支軸を囲うようにして前面が開口するロート状の窪部を設け、該窪部の内周面を鏡面に形成し、また前記支軸の周囲に設けられ、かつその外周面に所望の模様を施した装飾部を設けて構成される。そこで、パチンコ球が風車に当ると、該風車が回転してその模様を前側から視認できる。しかも、該模様は恰も浮き出て見られるので極めて斬新なデザインとなる。
【０００５】
また、回転体を遊技盤面に取り付けられる透光性の取付板の前側に配設し、該取付板の裏側に例えば発光体としてのランプを配設し、前記窪部には透孔を貫設し、該透孔を介してランプの点灯が前側から視認できるようにしても良い。このようにすれば、前記模様とランプの光とが融合して更なる斬新なデザインとすることができ、遊技の興趣を充分満足させることができる。この場合、前記取付板は透光性を有する合成樹脂により形成するか、発光体と対向する部位に光りを通す孔を開設するようにしておく。
【０００６】
【発明の実施の形態】
以下、本発明に係るパチンコ遊技機の風車の実施の形態を図面に従って説明する。図１は風車の斜視図、図２は同分解斜視図である。図において１はパチンコ遊技機の遊技盤Ｂの前面に取着される取付板であり着色された透明な合成樹脂により形成され、該取付板１の中心に軸孔２が貫通されている。
【０００７】
３は、取付板１の前側に配設され回転自在に軸支される回転体であり、着色された合成樹脂製の羽根車４と合成樹脂の表面に樹脂メッキをした反射部材５とからなる。羽根車４はその外周面がパチンコ球が衝突した際に回転し易くするために蛇腹状６に形成されており、前面には反射部材５を収容するための円形の収容部７が設けられている。そして、収容部７の底面中心には、軸孔８が貫設され、さらに該軸孔８の周辺には光を通過させるための複数の通孔９が貫設されている。
【０００８】
前記反射部材５は、前記収容部７に嵌合される円筒状の胴部１０を有し、反射部材５の前面には前面が開口するロート状の窪部１１が設けられ、該窪部１１の内周面１１ａは鏡面に形成され、前側から物を映し見ることができるようになっている。また、窪部１１の中心には軸孔１２を有する円筒状の突部１３が一体に設けられ、かつその周辺には前記各通孔９と合致する複数の透孔１４が形成されている。なお、前記反射部材５は金属製であっても良く、この場合も窪部１１の内周面１１ａは鏡面に形成される必要がある。
【０００９】
１５は、円筒状の装飾部材で、前記反射部材５の突部１３に嵌着される。そして、その周面全体には前記窪部１１の内周面１１ａに映しだされる模様ｍが描かれている。さらに該突部１３の前面には軸孔１６を有するリング１７を当接させ、これと反射部材５の軸孔１２、羽根車４の軸孔８及び取付板１の軸孔２とに支軸１８を挿通して、該支軸１８の後端部に抜止用の圧リング１８ａを止着することにより回転体３が一体に組付けられる。なお、本実施の形態では装飾部材１５に模様ｍを描いているが、突部１３に直接模様ｍを描いても同様の効果が得られる。また、支軸１８の周囲に該支軸１８と一体に部材を設けて（図示しない）、かかる部材に模様ｍを描き、窪部１１の内周面１１ａに映し出される模様Ｍが回転しないようにしてもよい。
【００１０】
一方、前記取付板１の裏面には、前記各通孔９と対応位置させて光りを一部乱反射させる凹凸面１ａが形成されると共に軸孔２と連通する軸保持筒２ａが設けられている。また、前記凹凸面１ａを囲うようにして枠体１９が設けられている。該枠体１９は上下に対向しかつ同一円輪郭上に位置する円弧状の壁面部２０，２０とその後側に被着される蓋体２１とからなり、前記壁面部２０，２０の後端面には配線基板２２が当接するように配置され、さらに、その裏面を覆うようにして蓋体２１が被着される。該蓋体２１はその上下位置に設けられる切欠２３，２３に前記各壁面部２０，２０から後方へ突設される固定片２４，２４先端の互いに内側を向く爪部２４ａ，２４ａが係合して組付けられる。なお、前記配線基板２２には発光体としてのランプ２５が配設されると共にコネクター２６を介して配線がひきだされる。このようにして組付けられた状態では、前記取付板１の裏面と蓋体２１の裏面との間の距離は遊技盤Ｂの厚さより僅かに短い寸法になっている。
【００１１】
また、２７，２７は前記各壁面部２０，２０の両端縁間であって前記取付板１の裏面から後方へ突設される一対の係止片である。該係止片２７，２７は、弾力性をもって形成され、その先端には外側を向きかつ後方へ向かうに従い広がるテーパー部２８ａ，２８ａを有する係止爪２８，２８を備えている。また、係止片２７，２７は、前記枠体１９を遊技盤Ｂの取付孔Ｈに挿入した場合に係止片２７，２７の先端にある各テーパー部２８ａ，２８ａが遊技盤Ｂ裏面の取付孔Ｈの後端縁に当接する長さに形成されている。
【００１２】
２９は前記枠体１９の蓋体２１の裏面に当接するようにして取り付けられる略楕円形状の締付板で、該締付板２９には前記蓋体２１の裏面に突設される逆Ｌ字型の一対の嵌合片３０，３０が嵌め込まれ、かつ該締付板２９をガイドし前記蓋体２１の裏面を摺接しつつ回動させるためのガイド溝３１，３１が形成されている。また、該締付板２９には外周縁の両側の対向する位置にそれぞれ中心を支点とて点対称となる一対の締付片３２，３２が形成されている。３３は締付板２９の裏面に設けられ該締付板２９を回動させるための把手部である。そして、図４に示されるように遊技盤Ｂに開設され前記締付板２９とほぼ同形状の取付孔Ｈに枠体１９を挿通し、遊技盤Ｈの裏面から把手部３３を持って図５（ａ）の状態から矢視方向へ締付板２９を回動させると、図４、図５（ｂ）に示すように締付板２９の締付片３２，３２が前記係止片２７，２７の係止爪２８，２８を外側へ押し広げ、各テーパー部２８ａ，２８ａと取付板１とで遊技盤Ｂをしっかりと挟み、しかも、締付板２９の対向位置する突出部２９ａ，２９ａが遊技盤Ｂの裏面に当接し、これにより本発明である風車が遊技盤Ｂにしっかりと取り付けられることになる。
【００１３】
次に本実施の形態の作用について説明する。前記装飾部材１５の模様ｍは図３に示すように反射部材５の表面に映し出され、しかも反射部材５の内周面１１ａは前方にいくほどロート状に広がっているため、そこに映る模様Ｍも反射部材５の前方へ向かって拡りをみせて、風車の前面には予想しえない模様が映し出され、しかも風車の回転と共に回転して表面装飾効果が付与されることになる。
【００１４】
一方、前記取付板１は色付きの透明な樹脂によって形成されていることから、該取付板１の裏面に設けられた枠体１９に収容されたランプ２５が点灯すると、その光が取付板１を通して遊技盤Ｂの前面側へ照らされることになる。また、羽根車４及び反射部材５には、複数の通孔９、透孔１０が貫通されているため、ランプ２５の光がそれら通孔９、透孔１０を通して前側から視認でき、この光が前記鏡面に映し出された模様と融合して面白い模様が現出でき、さらに風車の表面装飾効果が増強される。
【００１５】
【発明の効果】
以上、説明したところから明らかなように、本発明に係るパチンコ遊技機の風車は、その表面に極めて優れた表面装飾をなすことを可能とし商品価値が高められるばかりか、当該風車に対する遊技者の興味をそそり遊技の興趣を高められる。また、風車は極めて簡単な構造によって装飾効果が可能となし得ることから、ひいては製造上のコストダウンを図ることが可能となる。
【図面の簡単な説明】
【図１】本発明であるパチンコ遊技機の風車の斜視図である。
【図２】同風車の分解斜視図である。
【図３】同風車の正面図である。
【図４】同風車を遊技盤に取り付けた状態の断面図である。
【図５】同風車を遊技盤に取り付けた状態の背面図である。
【符号の説明】
１          取付板
３          回転体
５          反射部材
１１        窪部
１４        透孔
１５        装飾部材
１８        支軸
２５        発光体（ランプ）
ｍ          模様
Ｍ          模様
【図１】
0003851720.tif 000002
【図２】
0003851720.tif 000003
【図３】
0003851720.tif 000004
【図４】
0003851720.tif 000005
【図５】
0003851720.tif 000006